(57)【要約】【課題】  対象物を配置する位置をより正確に案内するための技術を提供する。【解決手段】  対象物の読み取りを行う画像読取装置と、画像読取装置に接続される情報処理装置とを備える画像読取システムにおいて、画像読取装置は、対象物を配置する位置を案内する配置場所誘導手段と、配置場所誘導手段により示される配置場所の位置情報を取得し出力する出力手段とを備え、情報処理装置は、画像読取装置から出力手段から出力される位置情報を受信する受信手段と、受信手段にて受信した位置情報が、予め記憶されている基準の位置情報に基づいて適正か否かを判定する判定手段とを備えることを特徴とする。【選択図】  図８
2011040914.tif 000002
【特許請求の範囲】
【請求項１】
対象物の読み取りを行う画像読取装置と、前記画像読取装置に接続される情報処理装置とを備える画像読取システムにおいて、
前記画像読取装置は、
前記対象物を配置する位置を案内する配置場所誘導手段と、
前記配置場所誘導手段により示される配置場所の位置情報を取得し出力する出力手段と
を備え、
前記情報処理装置は、
前記画像読取装置の前記出力手段から出力される前記位置情報を受信する受信手段と、
前記受信手段にて受信した前記位置情報が、予め記憶されている基準の位置情報に基づいて適正か否かを判定する判定手段と
を備えることを特徴とする画像読取システム。
【請求項２】
前記予め記憶されている基準の位置情報は、前記配置場所誘導手段による前記対象物の配置案内位置が適正位置か否かを判定する基準情報であることを特徴とする請求項１に記載の画像読取システム。
【請求項３】
更に、前記画像読取装置は、原稿の読み取りを行う撮像手段と、前記撮像手段を前記対象物に対して一定に保持する保持手段を備え、
前記撮像手段と前記保持手段は折り畳み可能であることを特徴とする請求項１又は２に記載の画像読取システム。
【請求項４】
対象物の読み取りを行う画像読取装置において、
前記対象物を配置する位置を案内する配置場所誘導手段と、
前記配置場所誘導手段により示される配置場所の位置情報を取得し出力する出力手段と
を備えることを特徴とする画像読取装置。
【請求項５】
対象物を配置する位置を案内する配置場所誘導手段を備える画像読取装置に接続される情報処理装置において、
前記配置場所誘導手段により示される配置場所の位置情報を受信する受信手段と、
前記受信手段にて受信した前記位置情報が、予め記憶されている基準の位置情報に基づいて適正か否かを判定する判定手段と
を備えること特徴とする情報処理装置。
【請求項６】
対象物の読み取りを行う画像読取装置における制御方法において、
前記対象物を配置する位置を案内する配置場所誘導工程と、
前記配置場所誘導工程により示される配置場所の位置情報を取得し出力する出力工程と
を備えることを特徴とする画像読取装置における制御方法。
【請求項７】
対象物を配置する位置を案内する配置場所誘導手段を備える画像読取装置に接続される情報処理装置方法において、
前記配置場所誘導手段により示される配置場所の位置情報を受信する受信工程と、
前記受信工程にて受信した前記位置情報が、予め記憶されている基準の位置情報に基づいて適正か否かを判定する判定工程と
を備えることを特徴とする情報処理装置方法。
【請求項８】
対象物を配置する位置を案内する配置場所誘導手段を備える画像読取装置に接続される情報処理装置を、
前記配置場所誘導手段により示される配置場所の位置情報を受信する受信手段と、
受信した前記位置情報が、予め記憶されている基準の位置情報に基づいて、適正か否かを判定する判定手段と
して機能させることを特徴とする位置判定プログラム。
【発明の詳細な説明】
【技術分野】
【０００１】
本発明は、書類等に形成された画像を読み取る画像読取システム、画像読取装置、情報処理装置、画像読取装置の制御方法、情報処理方法、位置判定プログラムに関するものである。
【背景技術】
【０００２】
従来の書類等に形成された画像を読み取る装置は、ラインセンサを用いて、原稿を搬送しながら画像情報の読み取りを行うものや、原稿を原稿台にセットして光学読取装置が移動して読み取りを行うものが一般的である。
【０００３】
また、原稿台に原稿をセットして、読み取りを行う装置の中には、CCDやC-MOSセンサなどのエリアセンサを使用し動画像を表示できるいわゆる書画カメラと呼ばれるものなどもある。エリアセンサを用いた画像撮像装置の場合、レンズ特性の関係上、読み取り領域の四隅では画像が歪んでしまい、読み取りエリアの中心が最も歪み特性が良い。よって、歪み特性の良い画像を撮影する場合、読み取りエリアの中心に対象物を配置する事が望ましいが、ユーザーから見ると、何処に配置してよいか案内されていないという事があった。
そこで、特許文献１には、焦点ポジションに応じて、撮像範囲を示すレーザ光をモニタの表示される表示領域に応じた位置に移動させる撮像装置が開示されている。
【先行技術文献】
【特許文献】
【０００４】
【特許文献１】特開２００１−２４９１１号公報
【発明の概要】
【発明が解決しようとする課題】
【０００５】
しかしながら、特許文献１は、撮像範囲を示すレーザ光を照射した位置を正確に把握することはできないため、撮像装置の使用状態に応じて、CPUから指示した照射範囲と、実際の照射範囲にずれが生じるという問題があった。
【０００６】
本発明は以上の課題に鑑みてなされたものであり、対象物を配置する位置をより正確に案内するための技術を提供することを目的とする。
【課題を解決するための手段】
【０００７】
上記目的を達成するため、本発明によれば、対象物の読み取りを行う画像読取装置と、前記画像読取装置に接続される情報処理装置とを備える画像読取システムにおいて、
前記画像読取装置は、
前記対象物を配置する位置を案内する配置場所誘導手段と、
前記配置場所誘導手段により示される配置場所の位置情報を取得し出力する出力手段と
を備え、
前記情報処理装置は、
前記画像読取装置の前記出力手段から出力される前記位置情報を受信する受信手段と、
前記受信手段にて受信した前記位置情報が、予め記憶されている基準の位置情報に基づいて適正か否かを判定する判定手段と
を備えることを特徴とする画像読取システムが提供される。
【０００８】
また、本発明によれば、対象物の読み取りを行う画像読取装置において、
前記対象物を配置する位置を案内する配置場所誘導手段と、
前記配置場所誘導手段により示される配置場所の位置情報を取得し出力する出力手段と
を備えることを特徴とする画像読取装置が提供される。
【０００９】
また、本発明によれば、対象物を配置する位置を案内する配置場所誘導手段を備える画像読取装置に接続される情報処理装置において、
前記配置場所誘導手段により示される配置場所の位置情報を受信する受信手段と、
前記受信手段にて受信した前記位置情報が、予め記憶されている基準の位置情報に基づいて適正か否かを判定する判定手段と
を備えること特徴とする情報処理装置が提供される。
【００１０】
また、本発明によれば、対象物の読み取りを行う画像読取装置における制御方法において、
前記対象物を配置する位置を案内する配置場所誘導工程と、
前記配置場所誘導工程により示される配置場所の位置情報を取得し出力する出力工程と
を備えることを特徴とする画像読取装置における制御方法が提供される。
【００１１】
また、本発明によれば、対象物を配置する位置を案内する配置場所誘導手段を備える画像読取装置に接続される情報処理方法において、
前記配置場所誘導手段により示される配置場所の位置情報を受信する受信工程と、
前記受信工程にて受信した前記位置情報が、予め記憶されている基準の位置情報に基づいて適正か否かを判定する判定工程と
を備えることを特徴とする情報処理方法が提供される。
【００１２】
また、本発明によれば、
対象物を配置する位置を案内する配置場所誘導手段を備える画像読取装置に接続される情報処理装置を、
前記配置場所誘導手段により示される配置場所の位置情報を受信する受信手段と、
受信した前記位置情報が、予め記憶されている基準の位置情報に基づいて、適正か否かを判定する判定手段と
して機能させることを特徴とする位置判定プログラムが提供される。
【発明の効果】
【００１３】
本発明によれば、対象物を配置する位置をより正確に案内するための技術を提供することができる。
【図面の簡単な説明】
【００１４】
【図１】本発明の第一実施形態における画像読取システムの概略を示す図である。
【図２】本発明の第一実施形態における画像読取システムの構成を示すブロック図である。
【図３】本発明の第一実施形態における画像読取装置の構成を示す外観斜視図である。
【図４】本発明の他の実施形態における画像読取装置の構成を示す外観斜視図である。
【図５】本発明の他の実施形態における画像読取装置の構成を示す外観斜視図である。
【図６】本発明の他の実施形態における画像読取装置の構成を示す外観斜視図である。
【図７】本発明の第一実施形態における情報処理装置に適用可能なコンピュータのハードウェア構成例を示すブロック図である。
【図８】本発明の第一実施形態における情報処理装置の処理の流れを示すフローチャートである。
【発明を実施するための形態】
【００１５】
以下、本発明について図面を参照しながら説明する。なお、以降ではエリアイメージセンサを用いた画像読取装置について説明するが、画像を読み取ることができるのであれば、その種類や機種は限定されるものではない。例えば、リニアイメージセンサを用いた画像読取装置であっても、本発明の画像読取装置として採用できる。
【００１６】
＜第一実施形態＞
図１は、本発明の実施形態における画像読取システムの概略を示す図である。画像読取装置１と情報処理装置２は、通信ケーブル３（例えば、ＵＳＢケーブル）を介して通信可能に接続されており、情報処理装置２にて、画像読取装置１から読み取った対象物（以下、原稿）４の画像の読み込みを実行することができる。
【００１７】
画像読取装置１は、エリアイメージセンサを採用して画像を読み取る場合、読み取り領域の四隅が特に画像が歪んでしまう、すなわち、読み取り領域の中心が最も歪み特性が良い。よって、画像読取装置１は、読み取り領域の中心に原稿４が配置されるように、配置場所を誘導するガイドを形成することが好ましい。また、詳細は後述するが、ガイドの位置情報の取得等を行うことも可能である。
【００１８】
情報処理装置２は、例えば、画像読取装置１による原稿配置場所を誘導するための原稿ガイドの制御指令、原稿４の読み取りの開始指令、読み込まれた画像を補正するための画像処理等を行うことが可能である。なお、原稿４は、二次元の平面物に限定されず、三次元の立体物でもよい。
【００１９】
図２は、画像読取システムの構成を示すブロック図である。画像読取装置１は、レンズ部２２を介して入射した撮像光をＣＣＤ（Charge Coupled Device ：電荷結合素子）２３の撮像面において光電変換することにより撮像信号を得る。そして、これをＣＤＳ（Correlated
Double Sampling：相関２重サンプリング回路）及びＡＧＣ（Auto Gain Control ：自動利得制御回路）部２４に送出する。
【００２０】
ＣＤＳ及びＡＧＣ部２４は、撮像信号にリセット雑音が発生する期間において、その信号レベルを所定電位でクランプすることによって雑音成分を低減すると共に、当該撮像信号の振幅を自動的に調整して出力を所定値に制御することによって、コントラストの変動を防止する。このようにして得られた撮像信号は、続くアナログ／ディジタル変換部２５に送出され、ディジタル撮像信号に変換された後、ＤＳＰ（Digital Signal Processor）２６に送出される。
【００２１】
ＤＳＰ２６は、ディジタル撮像信号に対してＹ／Ｃ分離、ガンマ補正及びホワイトバランス調整処理等を施した後、この情報をバス２８を介してＣＰＵ２０に与え、ＣＰＵ２０の制御により情報処理装置２に送出する。これにより情報処理装置２の後述する表示装置７６に画像が表示される。
【００２２】
メモリ２１は、ＣＰＵ２０に処理を実行させるためのデータやプログラムが保存されている。ＣＰＵ２０は、情報処理装置２から与えられる指示（指示手段）に基づいて、原稿配置場所を誘導するガイドを形成するために、光出力口９、１０（配置場所誘導手段の一例）をそれぞれ駆動するための駆動信号を駆動部２７に送出する。
【００２３】
これにより駆動部２７は、それぞれ与えられる駆動信号に基づいて、画像読取装置１の読取可能領域内、好ましくは当該読取可能領域の中心を指し示すように光線を照射し、原稿配置場所を誘導するガイドを形成することができる。ガイドとしては、画像読取装置１の読取可能領域内で且つ画像歪の影響が少ない中心領域を取り囲むように、あるいは当該中心領域をユーザーが認識できるように、光線の照射範囲や照射部分を適宜変更することが可能である。
【００２４】
情報処理装置２は、情報処理装置２の表示装置７６に入力画面を構成して、ユーザーが所望する読み取り原稿のサイズを指定し、画像読取装置１に指示することができる。
【００２５】
また、画像読取装置１から送られた原稿配置場所を誘導するガイドの位置情報が、予め記憶されている基準の位置情報に基づいて適正か否かを判定することができる。そして、判定結果に基づいて、画像読取装置１に、キャリブレーション、原稿の読取開始等の指示をすることができる。
【００２６】
詳述すると、本実施形態では、「予め記憶されている基準の位置情報」としては、例えば、配置場所誘導手段の一例である光出力口９、１０よる光照射位置（配置案内位置）が適正位置か否かを判定する基準情報とすることができる。
【００２７】
これにより、例えば、画像読取装置１の読取可能領域の中心位置を基準とし、この基準と実際に光出力口９、１０からの光照射位置とが略一致しているか、あるいは光照射位置が基準から所定の範囲内に位置しているかを判定することができる。
【００２８】
すなわち、基準情報と光照射位置とのずれ量が所定の条件を満たさない場合には、光出力口９、１０からの光照射位置がずれている可能性があるため、画像読取装置１の読取姿勢が適正でないと判定することができる。この場合には、画像読取装置１の読取姿勢を適正な状態となるように調整後、キャリブレーション、原稿の読取開始等の指示に基づいて、画像読取装置１により正確な読取を実行することができる。
【００２９】
なお、画像読取装置１の読取姿勢が適正でない場合には、情報処理装置２で実行される制御プログラム（例えば、画像読取装置１を制御するためのドライバやアプリケーション等）を介して、エラー表示等の所定の報知を行うようにすることができる。これにより、ユーザーは、画像読取装置１の読取姿勢が適正でないことを知ることができ、画像読取装置１の読取姿勢を適正に調整することができる。
【００３０】
ここで、画像読取装置１は、例えば、本実施形態では、情報処理装置２からの指示に基づいて、原稿の画像をプリスキャン（例えば、低解像度の読取）で読み取りながら原稿の読取姿勢を決定し、プリスキャンから本スキャン（例えば、高解像度の読取）へ切り替えて、原稿画像を読み取り制御するようになっている。
【００３１】
例えば、情報処理装置２からの読取指示は、上述した情報処理装置２で実行される制御プログラムにより表示される制御画面でのユーザー操作により発生する。
【００３２】
具体的には、情報処理装置２で低解像度から高解像度への変更が制御画面で行われると、読取密度の変更信号が情報処理装置２から画像読取装置１へ送信される。なお、実際には、後述する本スキャンの開始により低解像度から高解像度への切り替え指示が自動的に生成される。
【００３３】
そして、画像読取装置１は、読取密度の変更信号を受けて、プリスキャンから本スキャンへの読取密度の切り替えを行い、本スキャンでの読取を実行するようになっている。
【００３４】
すなわち、画像読取装置１では、情報処理装置２に接続されると、これに同期して起動し、プリスキャン（例えば、低解像度の読取）が自動的に開始され、本スキャン（例えば、高解像度の読取）へ切り替え指示を受けるまでプリスキャンが継続するよう制御されるようになっている。
【００３５】
また、本実施形態では、画像読取装置１から送られた画像情報を補正するための画像処理を行うことができる。画像情報を補正するための画像処理は、例えば、歪み、明るさ、色等の補正も可能である。
【００３６】
なお、指示手段はこれに限定されず、画像読取装置１上に操作部（不図示）を設け、操作部からの指示により、光出力口９、１０の選択、及び光線の照射の制御を行うことも可能である。
【００３７】
以下、図７を参照し、上述した画像読取装置１に接続される情報処理装置２について説明する。図７は、情報処理装置２に適用可能なコンピュータのハードウェア構成例を示すブロック図である。
【００３８】
ＣＰＵ７１は、ＲＯＭ７２やＲＡＭ７３に格納されているコンピュータプログラム（位置判定プログラム）やデータを用いてコンピュータ全体の制御を行う。本コンピュータを情報処理装置２に適用した場合、ＣＰＵ７１は後述する処理を実行する。
【００３９】
ＲＯＭ７２には、本コンピュータの設定データや、ブートプログラムなどが格納されている。ＲＡＭ７３は、ＨＤＤ（ハードディスクドライブ）７４からロードされたコンピュータプログラムやデータ、インターフェース７７を介して画像読取装置１から受信したデータなどを一時的に記憶するためのエリアを有する。
【００４０】
更に、ＲＡＭ７３は、ＣＰＵ７１が各種の処理を実行する際に用いるワークエリアを有する。即ち、ＲＡＭ７３は、各種のエリアを適宜提供することができる。ＨＤＤ７４には、ＯＳ（オペレーティングシステム）や、本コンピュータを適用した装置が行う各種の処理をＣＰＵ７１に実行させるためのコンピュータプログラムやデータが保存されている。
【００４１】
本コンピュータを情報処理装置２に適用した場合、係るコンピュータプログラムには、情報処理装置２が行うものとして後述する各処理をＣＰＵ７１に実行させるためのコンピュータプログラムが含まれている。また、制御プログラム、後述する予め記憶されている基準の位置情報についてもこのＨＤＤ７４内に設けられている。
【００４２】
ＨＤＤ７４に保存されているコンピュータプログラムやデータは、ＣＰＵ７１による制
御に従って適宜ＲＡＭ７３にロードされ、ＣＰＵ７１による処理対象となる。入力装置７５は、キーボードやマウスなどにより構成されており、本コンピュータの操
作者は、この入力装置７５を操作することで、各種の指示をＣＰＵ７１に対して入力する
ことができる。
【００４３】
表示装置７６は、ＣＲＴや液晶画面などにより構成されており、ＣＰＵ７１による処理
結果を画像や文字などでもって表示することができる。インターフェース７７は、様々なインターフェースで構成されている。例えば、本コンピュータを情報処理装置２に適用した場合、インターフェース７７は、本コンピュータに画像読取装置１を接続する為のデバイスインターフェースを含む。７８は上述の各部を繋ぐバスである。
【００４４】
本実施形態では説明を簡単にするために、情報処理装置２は図７に示した構成を有するコンピュータであるものとして説明するが、コンピュータの構成については係る構成に限定するものではない。
【００４５】
そして、上述した情報処理装置２は、画像読取装置１が接続されて、画像読取装置１を制御するための制御プログラムを実行することで、原稿の読取画像を取得することができるようになっている。情報処理措置１は、本実施形態では、上述したように、画像読取装置１からプリスキャン画像と本スキャン画像とが取得可能となっている。
【００４６】
詳細には、制御プログラムは、アプリケーションプログラムとドライバプログラムとを有し、アプリケーションプログラムにより本スキャン制御を行うと共に、ドライバプログラムによりプリスキャンを制御するようになっている。
【００４７】
ここで、ドライバプログラムは、画像読取装置１に対してプリスキャン画像のリクエスト信号を繰り返し送信する機能を備えている。一方、画像読取装置１は最新のプリスキャン画像を順次、情報処理装置２に送信するようになっている。そして、ドライバプログラムは、情報処理装置２の表示装置７６を制御し、表示装置７６に最新のプリスキャン画像をリアルタイム表示する。これにより、ユーザーは、画像読取可能領域にセットした原稿の読取姿勢を、プリスキャン画像を見ながら決定することができる。
【００４８】
一方、アプリケーションプログラムは、画像読取装置１に対して本スキャン指示を送信する機能を備えている。詳細には、アプリケーションプログラムは、情報処理装置２（実際には表示装置７６）で表示した読取制御画面で本スキャン操作が行われると、画像読取装置１に本スキャン指示を送信する。画像読取装置１では、本スキャン指示を受信すると、プリスキャンから本スキャンへ読取モードを切り替え、本スキャンを実行し、得られる本スキャン画像を情報処理装置２へ送信する。これにより、情報処理装置２では、本スキャン画像を取得することができる。
【００４９】
以下、図３を参照して、画像読取装置１の構成を説明するが、本発明は勿論これに限定されるものではない。図３は、本発明の第一実施形態における画像読取装置の構成を示す外観斜視図である。
【００５０】
画像読取装置１は、画像撮像手段と、画像撮像手段を原稿４に対して一定に保持する保持手段、原稿４を配置する位置を案内する光線１１（例えば、レーザ光線、発光ダイオード(ＬＥＤ)と集光レンズの組合せ等）を照射するための光出力口（配置場所誘導手段）９、１０を備える。
【００５１】
保持手段は、ベース部として脚８（８Ｒ、８Ｌ）、ボディー部としてアーム６（６Ａ、６Ｂ）とヘッド５を有しており、ヘッド５にはレンズ７が取り付けられ、エリアイメージセンサ（撮像手段）が内蔵されている。ヘッド５には必要に応じてアンプを設けても良い。
脚８とアーム６Ａ、アーム６Ａとアーム６Ｂ、アーム６Ｂとヘッド５は、不図示のヒンジによりそれぞれ連結されている。各部はこれらの各ヒンジによって、所定の角度の範囲で回転可能に構成される。
【００５２】
アーム６は脚８Ｒ、８Ｌにより形成される角部上に配置されて、脚８は開き角９０°で画像読取装置１全体を支持している。これによって、一般的に画像読取装置１が嵩張る原因となる原稿台をなくした簡単な構成でも、ボディー部を安定的に保持することができる。
また、脚８は原稿４の位置決め機能も同時に有しており、原稿４は脚８Ｒ、８Ｌにより構成される角部で脚８Ｒ、８Ｌに挟持され、容易に位置決めすることができる。
【００５３】
なお、脚８は最大開き角を９０°以上で構成しても良く、任意の開閉角度で固定保持できるように構成しても良い。その際はその開き角について最適な原稿位置を示すための突起や目盛りなどを設けて原稿の位置決めをしても良い。また他にも、脚８Ｒ、８Ｌはそれぞれ長さを調整できるように伸縮や折り畳みができるように構成しても良い。
【００５４】
また、ヘッド５はアーム６に取り外せないかたちで一体的に構成されている。さらに脚８Ｒ、８Ｌは、アーム６を回転中心として開閉可能に構成されており、アーム６が画像読取面に対して所定の位置（例えば、Ａ４サイズの原稿をセットした際、画像撮像手段が原稿の中心位置に合った位置）に決まるように、それぞれ所定の開き位置で固定される。
【００５５】
すなわち、画像読取装置１において、アーム６およびヘッド５は、脚８の開脚時、脚８の開き角に対して水平方向に固定的に構成されている。したがって、脚８を開脚することによってのみ、ヘッド５の画像撮像手段と原稿４との位置が一対一で決定する。これにより、画像撮像手段と原稿４との位置決めに微調整等の手間を要することなく、容易かつ瞬時に原稿の位置決めを行うことができる。
【００５６】
ただし、このような脚８を開くことによって決まる画像撮像手段の所定位置は一つでなくても良く、例えば、ネジなどによるアーム６の固定位置の可変手段を備えるようにすることで複数の位置に固定できるように構成することができる。このように構成するこによって、ほとんど特定サイズの原稿でしか画像読取装置を使用しない場合に、原稿の読み取り手順が非常に容易である一方、場合によっては複数のサイズに対応することもでき、より使用性を向上することができる。
【００５７】
ヘッド５は、原稿４に対してレンズ７の光軸が垂直になるようにセットされる。したがってヘッド５内のエリアイメージセンサと原稿４の読取面は平行になっており、原稿４の画像情報はレンズ７によりエリアイメージセンサに傾き無く結像される。
【００５８】
また、画像読取装置１は、脚８とアーム６Ａ、アーム６Ａとアーム６Ｂ、アーム６Ｂとヘッド５の各ヒンジによって、各部を所定の角度の範囲で回転することにより、折り畳むことも可能である。
【００５９】
ヘッド５をアーム６Ｂの直線上に回動するとともに、閉脚した状態の脚８をアーム６Ａ内に収納し、アーム６Ａとアーム６Ｂとをヒンジにより略１８０度回転させることによって、画像読取装置１をコンパクトに折り畳むことができる。
【００６０】
なお、このような折り畳み方はあくまで一例であり、その他にもさまざまな形態が考えられるため本形態に限定しない。このような構成によって、軽量、小型化による携帯性を向上するだけでなく、原稿に対するエリアイメージセンサの読み取り中心や、読み取りサイズを調整することも可能となり、よりユーザーの使用性を向上することができる。
【００６１】
また、アーム６を伸縮可能な部材によって構成し、アーム６Ｂを、アーム６Ａから繰出し可能な構成とすることも可能である。アーム６Ｂは所定の位置まで繰出した状態で固定され、ヘッド５を所定の高さに位置決め保持することができる。
【００６２】
光出力口９（９ Ａ、９Ｂ、９Ｃ、９Ｄ）は、情報処理装置２からの指示（指示手段）により、ユーザーが所望する原稿４を配置する位置を案内する光線１１を照射し、原稿配置場所を誘導するための原稿ガイド３０を形成する。光線１１を照射することにより、画像読取装置１が読み取り可能な最大原稿サイズ（例えば、Ａ４サイズ）より小型な原稿サイズ（例えば、Ａ６サイズや、カードサイズ）を読み取る場合でも、歪み特性の良い原稿配置場所を誘導するガイドを形成することができる。
【００６３】
また、光出力口９、１０のように、光出力口を複数備える構成にし、情報処理装置２から、読み取る原稿サイズ（例えば、Ａ６サイズや、カードサイズ）の指示（指示手段）により、原稿サイズに合わせた光線１１を選択することも可能である。よって、光線１１の光出力口が変わる事により、大きさの異なる複数の原稿ガイド３０を形成でき、様々な原稿サイズに対応することが出来る。
【００６４】
なお、指示手段はこれに限定されず、画像読取装置１上にスイッチを設け、光線１１のＯＮ／ＯＦＦを選択することも可能である。
【００６５】
また、光出力口９、１０は、これに限定されず、例えばアーム６に設けるなど、画像読取装置１の様々な位置に構成することが可能である。
【００６６】
なお、原稿４を配置する位置を案内する配置場所誘導手段は、これに限定されず、例えば脚８（８Ｒ、８Ｌ）にスライドカーソルを設け、原稿サイズに応じてスライドカーソルを移動させることにより、読み取り領域の中心にガイドを形成するようにしてもよい。
【００６７】
また、脚８（８Ｒ、８Ｌ）に各々原稿サイズに適したマークを設けて、各マークが交差した所を読み取り領域の中心として、原稿４を配置するようにしてもよい。
【００６８】
また、ヘッド５に内蔵されているエリアイメージセンサ（画像撮像手段）によって、原稿ガイド３０の位置情報を取得することができる。
【００６９】
位置情報とは、ＸＹ座標、アドレスデータ等、情報処理装置２にて後述する処理（図８）を行うために原稿ガイド３０の位置がわかるものであればなんでもよい。そして、取得された位置情報は、情報処理装置２に出力される。
【００７０】
図８は、本発明の第一実施形態における情報処理装置の処理の流れを示すフローチャートである。情報処理装置２の表示装置７６に入力画面を構成し、ユーザーが所望する読み取り原稿のサイズを指定する（Ｓ８１）。
【００７１】
ＣＰＵ７１は、読み取り原稿のサイズに応じた、ＨＤＤ７４に予め記憶されている原稿サイズに対応する照射指示を画像読取装置１へ行う（Ｓ８２）。照射指示とは、例えば、名刺サイズならば光出力口９を照射、パスポートサイズなら光出力口１０を照射する等である。
【００７２】
そして、ＣＰＵ７１は、原稿ガイド３０の位置情報を画像読取装置１から受信したか否かの判定を行う（Ｓ８３）。受信した場合（Ｓ８３のＹＥＳ）、受信した位置情報と、ＨＤＤ７４に予め記憶している基準の位置情報に基づいて、適正か否かの判定を行う（Ｓ８４）。
【００７３】
適正か否かの判定は、原稿サイズと原稿サイズに適した照射位置が関連付けられたテーブルを参照し、受信した位置情報との比較を行って適正の判定を行う。例えば、基準の位置情報を（Ｘ,Ｙ−Ｘ１０，Ｙ１０）とした場合、受信した位置情報が（Ｘ４，Ｙ４−Ｘ６，Ｙ６）ならば、基準の位置情報領域内であるため適正と判定することができる。
【００７４】
また、これに限定されず、例えば、位置情報Ａを受信したら適正、位置情報Ｂを受信したら不適正、と予め位置情報に応じた処理を設定しておき適正の判定を行うことも可能である。
【００７５】
なお、原稿ガイド３０の位置情報を画像読取装置１から受信していない場合（Ｓ８３のＮＯ）、Ｓ８３の処理を繰り返す。
【００７６】
受信した位置情報が、予め記憶されている基準の位置情報に基づいて適正と判定された場合（Ｓ８４のＹＥＳ）、ＣＰＵ７１は、画像読取装置１へ原稿４の読み取り開始の指示を行う（Ｓ８５）。読み取り開始の指示は、例えば、表示装置７６に入力画面を構成し行う。
【００７７】
受信した位置情報が、予め記憶されている基準の位置情報に基づいて不適正と判定された場合（Ｓ８４のＮＯ）、ＣＰＵ７１は、例えば、表示装置７６に、原稿ガイドが正しく表示されていない可能性があるので調整が必要です、等の警告表示を行う（Ｓ８６）。
【００７８】
そして、光出力口９を調整するためのキャリブレーションを行う（Ｓ８７）。なお、キャリブレーションは、画像読取装置１の駆動部２７が自動で調整するようにしてもよいし、ユーザーが手動で調整してもよい。
【００７９】
表示装置７６にキャリブレーション終了の入力画面を構成し、終了の指示が入力されたら、
キャリブレーション終了と判断し、Ｓ８２以降の処理を繰り返す。なお、キャリブレーション終了のタイミングは、画像読取装置１の駆動部２７からの終了指示、キャリブレーション開始から所定の時間経過後（例えば、1分等）等でも可能である。
【００８０】
なお、画像読取装置１の原稿ガイド３０が、適正か否かの判定は、画像情報、照度情報、色情報等に基づいて判定することも可能である。
【００８１】
以上より、画像読取装置１から受信した位置情報が、予め記憶されている基準の位置情報に基づいて適正か否かの判定を行うことが可能となり、不適正と判定された場合、情報処理装置２から指示した原稿ガイドと、実際の原稿ガイドにずれが生じていることが判断できる。したがって、使用状態に応じて発生する位置ずれを修正することができ、原稿を配置する位置をより正確に案内することが可能となる。
【００８２】
＜その他の実施形態＞
図４〜６は、本発明のその他の実施形態における画像読取装置の構成を示す外観斜視図である。
【００８３】
なお、その他の実施形態の構成、及び動作の大部分は、第一実施形態の構成、及び動作と共通するため、第一実施形態と異なる構成、及び動作についてのみ説明し、共通の構成、及び動作については説明を省略する。  図４は、光線１１による原稿配置場所を誘導するための原稿ガイド４０を鍵括弧形状とした図である。なお、光出力口９は、鍵括弧形状に設けてもよいし、網目状に複数設けて指示手段に基づき原稿サイズに合わせた光出力口９を選択し、光線１１を鍵括弧形状に照射してもよい。
【００８４】
図５は、光線１１による原稿配置場所を誘導するための原稿ガイド５０を原稿サイズを示す枠形状（長方形）とした図である。なお、図に示すように、光出力口９をアーム６に設けてもよい。
【００８５】
図６は、光線１１による原稿配置場所を誘導するための原稿ガイド６０を最大読み取りエリアの中心を示す点とした図である。最大読み取りエリアの中心を示す点を照射することにより、どのような原稿サイズでも、中心を示す点は同じであるため、光出力口９を複数設ける必要がなく、簡単な構成で原稿ガイドを形成できる。
【００８６】
なお、図４〜６を組み合わせた構成とすることも可能である。すなわち、例えば、パスポートサイズの原稿を読み取る場合は、鍵括弧形状（図４）、名刺サイズの原稿を読み取る場合は、原稿サイズを示す枠形状（図５）を形成する。
【００８７】
以上のように、原稿配置場所を誘導するための原稿ガイドは、様々な形状の原稿ガイドを形成することが可能である。よって、例えば、光線と読み取り原稿の色が同じ場合は、よりユーザーにわかりやすいよう原稿ガイドは、原稿サイズを示す枠形状（長方形）とする等、ユーザーの使用環境にあわせた原稿ガイドを形成することができる。
【００８８】
なお、本発明は上述の実施例に記した構成に限らず、さまざまな形態が考えられる。すなわち、上述した実施形態におけるすべての事項は、本発明を限定するためのものではなく、本発明とは直接的に関係のないあらゆる事項を含め、その用途や目的などに応じて特許請求の趣旨に鑑み任意に変更し得るものである。
【符号の説明】
【００８９】
１  画像読取装置
２  情報処理装置
４  原稿
５  ヘッド
６Ａ、６Ｂ  アーム
８Ｌ、８Ｒ  脚
９a、９ｂ、９ｃ、９ｄ  光出力口
１０  光出力口
１１  光線
３０、４０、５０、６０  原稿ガイド
【図１】
2011040914.tif 000003
【図２】
2011040914.tif 000004
【図３】
2011040914.tif 000005
【図４】
2011040914.tif 000006
【図５】
2011040914.tif 000007
【図６】
2011040914.tif 000008
【図７】
2011040914.tif 000009
【図８】
2011040914.tif 000010